Podtech/llm-jp-corpus-v4-ja_patent huggingface dataset:
(57)【要約】【課題】自分で自分の髪を染めようとするとき、耳が汚れないようにする。【解決手段】毛染めをするときに耳にかぶせる毛染め用耳カバー１であって、耳にかぶせたとき、その付け根に止まる、縁にゴムを使用して伸縮性を持たせた開口部２と、外部の音を聞くことができる穴３とを有していることを特徴とする毛染め用耳カバー。【選択図】　図１
0003097868.tif 000002
【実用新案登録請求の範囲】
【請求項１】
毛染めをするときに耳にかぶせる毛染め用耳カバーであって、耳にかぶせたとき、その付け根に止まる、縁にゴムを使用して伸縮性を持たせた開口部と、外部の音を聞くことができる穴とを有していることを特徴とする毛染め用耳カバー。
【請求項２】
毛染めをするときに耳にかぶせる毛染め用耳カバーであって、耳にかぶせたとき、その付け根に止まる大きさの開口部と、外部の音を聞くことができる穴とを有していることを特徴とする毛染め用耳カバー。
【考案の詳細な説明】
【従来の技術】
毛染めの際、染料が耳につきやすく、付着すると落ちにくいため、美容院では、サランラップで耳全体を覆って作業をしている。
【考案の解決しようとする課題】
しかし、自分で自分の髪を染めようとするとき、サランラップで耳全体をかぶせて毛染めをしてみるが、自分の耳にサランラップをかぶせることは難しく、かぶせ方をいろいろと工夫してみるが、途中ではずれて、耳が汚れてしまう。
本考案は、このような従来の問題を解決することを目的とする。
【問題を解決するための手段】
本考案に係わる毛染め用耳カバーは、次の（１）及び（２）に記載のものである。
（１）毛染めをするときに耳にかぶせる毛染め用耳カバーであって、耳にかぶせたとき、その付け根に止まる、縁にゴムを使用して伸縮性を持たせた開口部と、外部の音を聞くことができる穴とを有していることを特徴とする毛染め用耳カバー。
（２）毛染めをするときに耳にかぶせる毛染め用耳カバーであって、耳にかぶせたとき、その付け根に止まる大きさの開口部と、外部の音を聞くことができる穴とを有していることを特徴とする毛染め用耳カバー。
【実施例１】図は実施例１を示す。
図において、１は毛染めの際、耳に染料が付着しないように、耳にかぶせる毛染め用耳カバーであって、水をとおさないシート材を使用し、耳全体にかぶせるキャップ形または、ベレー帽形をしている。　２は耳にかぶせたとき、耳の付け根に密着する開口部であり、その縁には、ゴムを通して伸縮性を持たせてある。３は耳カバー１を耳にかぶせた状態のときに、外部の音が聞こえるようにするための穴である。　この穴は、開口部の反対側に開いていて、耳カバーを耳にかぶせたとき、耳の穴に相対している位置に開けてある。　穴３の大きさは、直径５ミリである。　なお、図示しないが、穴３に代えて直径１ミリの穴を数個開けてもよい。　この毛染め用耳カバーは、特に染料がつきやすい耳の付け根の外側の全部にかぶせてあるので、染料や染料をつけた毛髪が耳の付け根の方へ垂れてきても、耳が汚れることがない。
【実施例２】図は実施例２を示す。
図において、１１は毛染めの際、耳に染料が付着しないように、耳にかぶせる毛染め用耳カバーであって、水をとおさないシート材を使用し、耳全体にかぶせるキャップ形または、ベレー帽形をしている。　１２は耳にかぶせたとき、耳の付け根に止まる大きさの開口部である。　カバー１１は、この開口部より耳を折るようにして入れると、簡単に耳にかぶせることができる。　１３は耳カバーを耳にかぶせた状態のときに、外部の音が聞こえるようにするための穴である。　この穴１３は、開口部の反対側に開いていて、耳カバー１１を耳にかぶせたとき、耳の穴に相対している位置に開けてある。　穴１３は直径５ミリの穴である。なお、図示しないが、穴１３に代えて直径１ミリの穴数個開けてもよい。　この毛染め用耳カバーは、特に染料がつきやすい耳の付け根の外側の全部にかぶせてあるので、染料や染料をつけた毛髪が耳の付け根の方へ垂れてきても、耳が汚れることがない。
【考案の効果】
以上説明したように、請求項１の毛染め用耳カバーは、上述のような構成としたので、伸縮性のあるゴムを使用した開口部を広げて簡単に耳にかぶせることができる。
請求項２の毛染め用耳カバーは、上述のような構成にしたので、耳にかぶせるとき、開口部より耳を折るようにして入れるだけで、開口部が耳の付け根に止まるので、はずれることがない。
請求項１．２の毛染め用耳カバーは、耳の付け根から外側の全部にかぶせてあるので、染料や染料をつけた毛髪が耳の付け根の方へ垂れてきても、耳が汚れることなく、髪の生え際まで染めることができる。　また、穴をとおして外部の音などを聞くことができるので何の不安もない。
【図面の簡単な説明】
【図１】実施例１の毛染め用耳カバーの斜視図。
【図２】実施例２の毛染め用耳カバーの斜視図。
【符号の説明】
１　毛染め用耳カバー
２　開口部
３　穴
【図１】
0003097868.tif 000003
【図２】
0003097868.tif 000004
(57)【要約】【課題】木材の持つ自然な装飾性や香りを有し、各種綴じ具用の台紙として使用可能な綴じ具用台紙を提供すること。【解決手段】綴じ具２０を保持する台紙の表面に、間伐材を薄く切った薄板材を貼着したことを特徴とする綴じ具用台紙１０である。また、表表紙１１と裏表紙１２と背表紙１３からなる、綴じ具２０を保持する台紙の表面に、間伐材を薄く切った薄板材を貼着したことを特徴とする綴じ具用台紙１０である。薄板材は折り曲げ可能なものを使用し、台紙は紙製とする。【選択図】　　図１
0003097861.tif 000002
【実用新案登録請求の範囲】
【請求項１】
綴じ具を保持する台紙の表面に、間伐材を薄く切った薄板材を貼着したことを特徴とする綴じ具用台紙。
【請求項２】
表表紙と裏表紙と背表紙からなる、綴じ具を保持する台紙の表面に、間伐材を薄く切った薄板材を貼着したことを特徴とする綴じ具用台紙。
【請求項３】
前記薄板材が折り曲げ可能なものである請求項２に記載の綴じ具用台紙。
【請求項４】
前記薄板材が紙製の台紙に貼着されている請求項１〜３の何れかに記載の綴じ具用台紙。
【考案の詳細な説明】
【０００１】
【考案の属する技術分野】
本考案は、書類を綴じて保管するためのファイルやバインダー等における書類の綴じ具を保持するための綴じ具用台紙に関する。
【０００２】
【従来の技術】
従来、ファイルやバインダー等の台紙は、紙製又はプラスチック製のものが一般的である。一方、消費者の嗜好は多様化しており、自然素材の感じを求めて、例えば、木目調の台紙が求められることもある。これに対して、従来の紙製又はプラスチック製の台紙において、表面に木目調の印刷を施すこともあるが、あくまで印刷物であるため人工物のイメージがあり、また、木の持つ香りもないため、本物志向の消費者を満足させることはできていなかった。そこで、実際に木材を台紙に使用することも考えられるが、住宅用板材などの他の用途として利用可能な部分を台紙として使用するのは非経済的ある。また、ファイル用の台紙のように、折り曲げ部分がある場合、木材の厚板材では対応できないという問題もある。
【０００３】
【考案が解決しようとする課題】
本考案が解決しようとする課題は、木材の持つ自然な装飾性や香りを有し、各種綴じ具用の台紙として使用可能な綴じ具用台紙を提供することにある。
【０００４】
【課題を解決するための手段】
上記課題を解決するために、本考案の綴じ具用台紙は、綴じ具を保持する台紙の表面に、間伐材を薄く切った薄板材を貼着したことを特徴とするものである。また、本考案の綴じ具用台紙は、表表紙と裏表紙と背表紙からなる、綴じ具を保持する台紙の表面に、間伐材を薄く切った薄板材を貼着したことを特徴とするものである。
【０００５】
このように、本考案では、台紙の表面に本物の木材を薄く切った薄板材を貼着しているので、外観は本物の木材と同一であり、木の香りも持つ。しかも、薄板材の素材として、従来、特別な用途がなく廃棄されることの多かった間伐材を使用するため、資源の有効活用にもなる。
【０００６】
また、本考案では、薄板材は折り曲げ可能なものとすることが好ましい。これによって、台紙が折り曲げ可能なものであれば、綴じ具用台紙全体としても折り曲げ可能なものとすることができる。
【０００７】
さらに、本考案では、薄板材を紙製の台紙に貼着することが好ましい。これによって、綴じ具用台紙全体を古紙として容易にリサイクルすることができる。
【０００８】
【考案の実施の形態】
以下、本考案の綴じ具用台紙をファイルに適用した実施例によって、本考案の実施の形態を説明する。
【０００９】
図１は、本考案の綴じ具用台紙を適用したファイルを展開した状態を示し、（ａ）は外側から見た斜視図、（ｂ）は内側から見た斜視図である。図２は、図１のファイルの使用状態を示す斜視図である。
【００１０】
図面に示す綴じ具用台紙１０は、厚さ２ｍｍ程度の厚紙からなる台紙の表面に、厚さ０．２ｍｍ程度の薄板材を接着剤で貼着して形成したものであり、表表紙１１と裏表紙１２と背表紙１３とからなる。
【００１１】
背表紙１３の内側には、書類を綴じ込むために従来公知の綴じ具２０が着脱可能に設けられており、表表紙１１と裏表紙１２は背表紙１３との連結部分を境界として内側に折り曲げ可能に形成されている。
【００１２】
薄板材は、スギ、ヒノキ等の間伐材を薄く切って得られたものであり、薄板材自体が折り曲げ可能である。したがって、台紙の表面に貼着された薄板材は、図２に示すように、表表紙１１と裏表紙１２に追従して折り曲げ可能となっている。
【００１３】
以上の実施例では、ファイル用の台紙について説明したが、本考案は、一枚板状のバインダー用の台紙に適用することもできる。
【００１４】
【考案の効果】
本考案の綴じ具用台紙は、台紙の表面に、間伐材を薄く切った薄板材を貼着したものであるので、外観は本物の木材と同一であり、木材の持つ自然な装飾性と香りを有するものとすることができる。しかも、薄板材の素材として、従来、特別な用途がなく廃棄されることの多かった間伐材を使用するため、資源の有効活用にもなる。
【００１５】
また、薄板材を折り曲げ可能なものとすることで、台紙が折り曲げ可能なものであれば、綴じ具用台紙全体としても折り曲げ可能なものとすることができる。
【００１６】
さらに、台紙を紙製とすることで、綴じ具用台紙全体を古紙として容易にリサイクルすることができる。
【図面の簡単な説明】
【図１】本考案の綴じ具用台紙を適用したファイルを展開した状態を示し、（ａ）は外側から見た斜視図、（ｂ）は内側から見た斜視図である。
【図２】図１のファイルの使用状態を示す斜視図である。
【符号の説明】
１０　綴じ具用台紙
１１　表表紙
１２　裏表紙
１３　背表紙
２０　綴じ具
【図１】
0003097861.tif 000003
【図２】
0003097861.tif 000004
(57)【要約】　　　（修正有）【課題】遠心噴霧器の作動をマイクロ電気モーターで行う散布ノズルで機能する形式の改良型噴霧ヘッダーを提供する。【解決手段】改良型噴霧ヘッダーは、植物衛生薬品の散布についてその用途を有す。遠心式噴霧器の作動にマイクロ・モーター１を用いる形式とする。噴霧器２は、回転方向に凸状のカーブを設けた螺旋状のローターである。内側が周囲方向に段差を付した逆円錐ディストリビュータ受け器３から（液を）供給し、モーターの軸が貫通する軸方向の穴４が設置され、遠心噴霧器２に供給液を通す。【選択図】　　　　　図１
0003097865.tif 000002
【実用新案登録請求の範囲】
【請求項１】
遠心噴霧器（２）が両端面に対して切込角度を４５度に保ち回転方向に対して凸状のカーブを設けた螺旋状の羽根歯車で構成され、遠心噴霧器（２）の作動をマイクロ電気モーター（１）で行う散布ノズルで機能することを特徴とする改良型噴霧ヘッダー。
【請求項２】
ディストリビュータ受け器（３）は漏斗の形状であり、内側が周囲方向に段差を付した形状になっており、モーター（１）の軸が貫通する軸方向の穴（４）が設置され、供給液が（穴と軸の）円形の隙間を通って遠心噴霧器（２）に至ることを特徴とする請求項１に記載の改良型噴霧ヘッダー。
【考案の詳細な説明】
【０００１】
【考案の属する技術分野】
本考案は遠心噴霧器の作動をマイクロ電気モーターで行う散布ノズルで機能する形式の改良型噴霧ヘッダーに関するものである。
【０００２】
【従来の技術】
田畑における作物への植物衛生薬品の施用の必要性により、直接（殺虫剤）あるいは土壌（除草剤）への別を問わず、それぞれの場合に適した化学薬品の適正使用を達成するための技術の生成および完成化が求められる。適切な施用方法は、この技術が生まれた当時から空気中に浮遊する溶液の小さな粒を形成させ噴霧させる、化学薬品溶液の霧状散布であった。
【０００３】
この霧の生成に用いられてきた噴霧器は、下記の構成品からなる周知の構造を有す。
【０００４】
施用のための溶液容器１個と、アプリケータ（ランス）により用いられる施用ヘッダーまで、あるいは機械的に移動する複数のヘッダーまでを繋ぐ、容器の出側パイプと、直流電流で作動する垂直軸を付したマイクロ電気モーターで機能する施用ヘッダー（噴霧器）とを設けている。
【０００５】
【考案が解決しようとする課題】
噴霧器は、用いる薬品の種別に関係なく散布の均一性を確保するための一定要件を具備していればいるほど、その機能を満足させていることとなる。即ち、溶液の粒（霧）のサイズが適切且つ均一であること。また、噴霧による散布において、処理効果に悪影響を及ぼさない薬品施用となるよう、不均一な散布を避けて霧が均一な分散となること。
【０００６】
【課題を解決するための手段】
本考案の目的は、前述の通りの構造を有す噴霧器に対し、求められる機能条件の改善を目的に改良を加えるものである。
【０００７】
散布される霧のサイズおよび均一性については、上面・下面に対して切込角度を４５度に保った螺旋状の羽根歯車を設置すると共に回転方向に凸状のカーブが設計されている。
【０００８】
遠心式噴霧器の螺旋形状の羽根歯車は、ポンプのローターのように機能する。歯車は液体を巻き込み遠心力によって滑らか且つ均一に押し出し、散布幅をより正確に調整する。
【０００９】
もう一つの改善点として、液体ディストリビュータ受け器が円錐状の段差を付した円周内面の漏斗の形状であり、上部のモーターの軸が貫通する軸方向の穴が設置され、遠心噴霧器に供給液を通す。
【００１０】
この設計により、平滑な内面と比較して、漏斗の円錐部分の段差状の内面を液体がカスケード状に落下して行くことで液配分が均一となり、遠心式噴霧器に向かう出口（穴）に対してより均一な配分となる。
【００１１】
【考案の実施の形態】
本考案の明細記述を補足し且つ形状・構造・機能的特徴を説明するために、本考案申請の対象である改良型噴霧ヘッダーの製作例を示す図を添付する。本考案の改良型噴霧ヘッダーの特徴ならびに適切な使用を明確に表す目的で、理想的な製作例を示した図を参照しながら、その構造および改良型の部品構成を以下に示す。なお、ここに示す例は、本考案の適用および内容を限定するものではなく、より広範囲な使用形態があるものと解釈されなければならない。
【００１２】
図１には、取り付けられ且つ使用状態にある改良型噴霧ヘッダーの軸方向の断面を示す。図２には、液体ディストリビュータ受け器の直径方向の断面を示す。これは、内側が周囲方向に段差を付した漏斗の形状になっている。図３には、遠心式噴霧器の透視図を示す。羽根歯車（ベーン）の螺旋および回転方向に対する歯車の配置を示す。
【００１３】
改良型噴霧ヘッダーは、遠心噴霧器（２）の作動をマイクロ電気モーター（１）で行う散布ノズルで機能する形式とする。
【００１４】
遠心噴霧器（２）は、両端面に対して切込角度を４５度に保ち回転方向に対して凸状のカーブを設けた螺旋状の羽根歯車で構成される。
【００１５】
ディストリビュータ受け器（３）は漏斗の形状であり、内側が周囲方向に段差を付した形状になっている。また、モーター（１）の軸が貫通する軸方向の穴（４）が設置され、供給液が穴と軸の円形の隙間を通って遠心噴霧器（２）に至る。
【図面の簡単な説明】
【図１】図１は、取り付けられ且つ使用状態にある改良型噴霧ヘッダーの軸方向の断面を示す。
【図２】図２は、液体ディストリビュータ受け器の直径方向の断面を示す。
【図３】図３は、遠心式噴霧器の透視図を示す。
【符号の説明】
１　マイクロ電気モーター
２　遠心噴霧器
３　ディストリビュータ受け器
４　軸方向の穴
【図１】
0003097865.tif 000003
【図２】
0003097865.tif 000004
【図３】
0003097865.tif 000005
(57)【要約】【課題】受光々線を多彩に乱反射して、その優れた光輝性により集魚効果を著しく向上できる集魚具を提供すること。【解決手段】本考案に係る集魚具Ｇは、可撓性を有する柔軟なプラスチックチューブ１の表面に粉粒状のラメ２を接着して、該粉粒状のラメ２により受光々線を乱反射させて、チューブ１の表面に多角的且つラメ特有の多彩な光輝性を付与して構成されている。【選択図】　　　　図２
0003097873.tif 000002
【実用新案登録請求の範囲】
【請求項１】
可撓性を有する柔軟なプラスチックチューブの表面にラメを接着して、チューブの表面にラメ特有の多彩な光輝性を付与したことを特徴とする集魚具。
【請求項２】
可撓性を有する柔軟なプラスチックチューブの表面に粉粒状のラメを接着して、該粉粒状のラメにより受光々線を乱反射させて、チューブ表面に多角的且つラメ特有の多彩な光輝性を付与したことを特徴とする集魚具。
【考案の詳細な説明】
【０００１】
【考案の属する技術分野】
本考案は、集魚具の改良に関し、さらに詳しくは、釣具の鈎のチモト部、ハリスの付根部、天秤錘の鋼線部等に被嵌したチューブから光輝を発生させ、その発生光輝により集魚効果を向上させるチューブタイプの集魚具に関する。
【０００２】
【従来の技術】
従来、釣具の所要個所に光輝性付与加工を施した柔軟なプラスチックチューブを被嵌し、このチューブからの光輝により魚の注意を惹き、集魚して釣果の向上を図る光輝性チューブタイプの集魚具としては種々のものが提供されている。
【０００３】
【特許文献１】
実開昭６２−５７６７９号公報（明細書第１頁、第２図）
【特許文献２】
実開昭６２−１６９９６９号公報（明細書第６頁、第２図）
【特許文献３】
実開平５−７４２７２号公報（明細書第４頁、図３）
【０００４】
【考案が解決しようとする課題】
上記特許文献１には、天秤の鋼線部分に蛍光ビニールパイプを通した蛍光ロケット天秤が開示されており、特許文献２には、蛍光物質を含む着色された可撓性チューブを備えたフライ釣り用リーダーが開示されており、また、特許文献３には、釣元のロック管のまわりに蓄光剤を含浸させたプラスチックチューブを嵌着した釣元が開示されているが、いづれの場合も、使用中に蛍光物質又は蓄光剤が減失し易く、長期にわたって光輝性を保持できない問題があると共に、その光輝性は受光々線を乱反射する作用を伴わないものであるから、多角的な光輝性に乏しく、優れた集魚効果を発揮できない問題がある。
【０００５】
本考案は、上記の問題を解決することを課題として開発されたもので、受光々線を多角的に且つ多彩に乱反射して、その優れた光輝性により集魚効果を著しく向上できる集魚具を提供することを目的とする。
【０００６】
【課題を解決するための手段】
上記の課題を解決し、その目的を達成する手段として、本考案は、可撓性を有する柔軟なプラスチックチューブの表面にラメを接着して、チューブの表面にラメ特有の多彩な光輝性を付与したことを特徴とする集魚具を提供するものである。
【０００７】
また、本考案は、可撓性を有する柔軟なプラスチックチューブの表面に粉粒状のラメを接着して、該粉粒状のラメにより受光々線を乱反射させて、チューブ表面に多角的且つラメ特有の多彩な光輝性を付与したことを特徴とする集魚具を提供するものである。
【０００８】
【考案の実施の形態】
以下に、本考案の実施の形態を添付図面に基づいて説明すれば、図１において、１は例えば、柔軟なビニール製細管からなる所要長さの可撓性プラスチックチューブであって、その表面に、この実施の形態では、金色、銀色を含めて、所要の多彩色に施色した粉粒状のラメ２を強力な接着剤３により接着して集魚具Ｇを構成したものである。
【０００９】
上記のように構成した集魚具Ｇは、釣具における使用個所に対応して所要の長さに切断し、該部に被嵌して使用されるものであって、例えば図３に示すように、鈎のチモト部分（鈎の返し部分から腰の部分に至る胴部分）に被嵌する場合は、短めに切断して使用するものであり、また、図示していないが、天秤錘の鋼線部分に被嵌する場合は、やゝ長めに切断して使用するものであるが、プラスチックチューブ１の柔軟性により容易に被嵌できるものである。
【００１０】
上記の集魚具Ｇを被嵌した釣具を水中に投じると、集魚具Ｇを構成しているプラスチックチューブ１の表面に強力に接着されたラメ２は粉粒状であるため、受光々線を多角的に乱反射し、ラメ特有の多彩色性と相俟って優れた光輝を発光し、集魚効果を著しく向上できると共に、プラスチックチューブ１の表面に強力な接着剤３により接着された粉粒状のラメ２は耐剥離性に優れ、長期にわたって上記の効果を保持できるものである。
【００１１】
以上、本考案の主要な実施の形態を例示して説明したが、本考案において使用するラメは粉粒状のものに限定されるものではなく、受光々線の乱反射性と多彩性とを備え、且つプラスチックチューブの表面への強力な接着が可能な限り、金属などの切箔の細片を含めて、他の形態のラメを使用することができる。
【００１２】
【考案の効果】
本考案に係る請求項１に記載の集魚具は、前記のように構成されているものであるから、この集魚具を釣具の所要個所に被嵌して使用すると、プラスチックチューブの表面に接着されているラメにより、従来のこの種のタイプの集魚具には見られないラメ特有の多彩な光輝を発生して、集魚効果を著しく向上できる。
【００１３】
請求項２に記載の集魚具によれば、粉粒状のラメを使用しているので、上記の効果に加え、受光々線を多角的に乱反射させて、その集魚効果を一層向上できる。
【００１４】
【図面の簡単な説明】
【図１】本考案の実施の一例を示す正面図である。
【図２】その一部分を示す一部縦断拡大正面図である。
【図３】その使用状態の一例を示す説明図である。
【符号の説明】
１　　プラスチックチューブ
２　　ラメ
３　　接着剤
Ｇ　　集魚具
【図１】
0003097873.tif 000003
【図２】
0003097873.tif 000004
【図３】
0003097873.tif 000005
(57)【要約】【課題】墓石（位牌墓）に五輪塔の意義を兼ね備えさせる。【解決策】墓石の棹石部分をくり抜き、そこへ水晶製五輪塔を納めた。【選択図】　図２
0003097819.tif 000002
【実用新案登録請求の範囲】
【請求項１】
棹石部分１をくり抜いた穴２に、水晶製五輪塔３を納めた墓石（位牌墓）４。
【考案の詳細な説明】
【０００１】
【考案が解決しようとする課題】
本来、位牌墓と五輪塔は対にして建立するのが望ましいが、時として墓地が狭い、予算が足りないなどの理由により、五輪塔の建立を諦めざるを得ないという問題があった。
【０００２】
【課題を解決するための手段】
上記目的を達成する為に、位牌墓の棹石をくり抜き、そこへ水晶製五輪塔を納めた。
【０００３】
【考案の効果】
水晶製五輪塔を納める事により、位牌墓に五輪塔の意義をも与える。これにより、五輪塔を建てたくとも建てられない不満を解消する。
【図面の簡単な説明】
【図１】水晶製五輪塔入り墓石の斜視図である。
【図２】棹石部分の断面図である。
【符号の説明】
１　棹石部分
２　くり抜き穴
３　水晶製五輪塔
４　墓石（位牌墓）
【図１】
0003097819.tif 000003
【図２】
0003097819.tif 000004
(57)【要約】　　　（修正有）【課題】（１）焼却物が炉の奥まで入りにくいため入口の所で焼却するため未燃焼と灰が堆積して連続運転がむずかしかった。（２）平面炉床のため焼却物が分離，分解されないため焼却物の内部に焼却空気が入りにくいため安全焼却が出来なかった。（３）不完全燃焼のため汚染物質が多量に発生して大気汚染を起こしていた。【解決手段】傾斜した平面炉床３の中央部に分離シュート２を設け自動投入装置から供給される焼却物を分離シュート２で受けシュート面を滑って落下する時に左右に分離し固まりを分解しながら平面炉床３の炉床面に落下させる。耐火炉床内部３に設けたエアーパイプ４に取付けられたエアーノズル５をかいして燃焼用の高圧、空気を供給して完全燃焼を計り公害の発生を抑えるものである。【選択図】図３
0003097814.tif 000002
【実用新案登録請求の範囲】
【請求項１】
耐火炉床（３）の中央部に分離シュート（２）を取付け、投入口よ
り押し込まれる焼却物を（２）の分離シュートによって炉の奥にスライドさせると同時に焼却物を炉の左右に分離分解させて落下させ（３）の炉床内に設けたエアーパイプ（４）に取付けられたエアーノズル（５）に高圧空気を供給して焼却物を完全燃焼する（２）の分離シュート
【考案の詳細な説明】
【０００１】
［考案の属する技術分野］
本考案は、２００ｋｇ／Ｈ程度の小型焼却炉の投入作業の連続化を可能にするとともに焼却物の完全燃焼を計り、汚染物質の排出量を大幅に抑えるものである。
【０００２】
［従来の技術］
ダイオキシン類が問題になり、小型焼却炉も焼却物を外気と遮断した状態で炉内に投入しなければならないと云う構造基準が設けられた。
従来小型焼却炉の場合、投入扉を開けて作業員が人力で焼却物を投入する方法で作業をしていたが、法令の改正により扉を開けた状態での作業は出来なくなり、外気と遮断した状態で投入出来る装置を取付ける様になった。
扉を開けて投入し、火かき棒で焼却物を炉の奥に押込んだり、焼却物の固まりを砕いて燃え易くする作業が出来なくなった。
【００３】
［発明が解決しようとする課題］
小型焼却炉を連続的に運転しようとすると、焼却物をなるべく炉の奥に投入して、完全燃焼を計って未燃物と焼却灰の量を少なくする必要があります。
焼却物を炉の奥に入れるために炉床に傾斜をもたせても、炉床が耐火材なので滑り落ちず手前で焼却するため投入口の前面に未燃物と灰の壁が出来て投入の連続が出来なくなる欠点があった。
奥に投入出来る様に傾斜角を大きくすると、投入口の位置が高くなり製作コストが高くなるのと作業性が悪く、また炉の内部に焼却物を奥に移動させる装置を取付けると製作コスト面や作業の複雑化で小型焼却炉ではむずかしいのが現状である。
本考案が解決しようとする課題は、
（１）焼却物が炉の奥まで入りにくいため入口の所で焼却するため未燃焼と灰が
堆積して連続運転がむずかしかった。
（２）平面炉床のため焼却物が分離，分解されないため焼却物の内部に焼却空気
が入りにくいため完全焼却が出来なかった。
（３）不完全燃焼のため汚染物質が多量に発生して大気汚染を起こしていた。
【０００４】
［課題を解決する手段］
傾斜した平面炉床（３）の中央部に（２）の分離シュートを設け自動投入装置から供給される焼却物を（２）の分離シュートで受けシュート面を滑って落下する時に左右に分離し固まりを分解しながら（３）の炉床面に落下させる。（３）の耐火炉床内部に設けた（４）のエアーパイプに取付けられた（５）のエアーノズルをかいして燃焼用の高圧、空気を供給して完全燃焼を計り公害の発生を抑えるものである。
【０００５】
［発明の実施の形態］
以下本発明の実施の形態に付いて説明する。
炉内の中央部に（３）の耐火炉床面より３００ｍｍから５００ｍｍ突き出た上部を丸くした鋼鈑製水冷ジャケット式の分離シュート（２）を設け（１）の投入口より自動投入装置によって押し込まれる焼却物を（２）の分離シュートにより炉の内部にスライドさせながら分離シュートの上部の丸みを利用して焼却物を炉の左右に分離，分解しながら適度の空間をもたせ（３）の耐火炉床に落下させる（３）の耐火炉床の内部には高圧燃焼空気を供給するパイプ（４）があり、そのパイプに取付けられた（５）エアーノズルより焼却用空気が適度に分離，分解して隙間をもった焼却物に供給されて完全燃焼されるので連続的に投入が可能になると同時に大気汚染を起こす有害物質の発生を大幅に抑える事ができる。
【０００６】
［発明の効果］
本考案にもとずいて製作した時間当り１９８ｋｇの焼却炉に簡単なサイクロン集塵器を取付けた焼却炉の測定結果は下記の通りである。
排出ガス中のダイオキシンの量　　　　０．６（ｎｇ−ＴＥＱ／Ｎ）
燃え殻中のダイオキシンの量　　　０．０７６（ｎｇ−ＴＥＱ／Ｎ）
ばいじん中のダイオキシンの量　　０．０７３（ｎｇ−ＴＥＱ／Ｎ）
以上の様に大気中に放出するダイオキシン類は基準値の８分の１
焼却灰及びばいじんに含まれるダイオキシン類は基準値の約４０分の１
この考案により有害物質の排出量が大幅に減少させることが出来る。
【図面の簡単な説明】
【図１】従来の焼却炉の断面図
【図２】本発明の使用状態を示す断面図
【図３】本発明を使用した側面断面図
【図４】主要部拡大断面図
【符号の説明】
１．投入口
２．分離シュート
３．耐火材炉床
４．高圧エアーパイプ
５．エアーノズル
６．水室
７．エアー室
【図１】
0003097814.tif 000003
【図２】
0003097814.tif 000004
【図３】
0003097814.tif 000005
【図４】
0003097814.tif 000006
(57)【要約】【課題】持ち上げ易く且つ安価に製造することができる木製の鍋蓋を提供する。【解決手段】木製蓋本体（１１）の上面（１１ａ）中央に木製板状取っ手（１３）を該木製蓋本体（１１）から直角に立設し、該木製板状取っ手（１３）には複数本の指を挿入するための透孔（１７）を形成したことを特徴とする鍋蓋。前記木製板状取っ手（１３）における透孔（１７）の底面（１９）は木製蓋本体（１１）の上面（１１ａ）よりも高くする。本考案による鍋蓋は、特に給食センター、ホテル、旅館、レストラン、食堂等の調理場で使用される業務用の大型鍋の蓋である。【選択図】図１
0003097130.tif 000002
【実用新案登録請求の範囲】
【請求項１】
木製蓋本体の上面中央に木製板状取っ手を該木製蓋本体から直角に立設し、該木製板状取っ手には複数本の指を挿入するための透孔を形成したことを特徴とする鍋蓋。
【請求項２】
前記木製板状取っ手における透孔の底面は木製蓋本体の上面よりも高くしたことを特徴とする請求項１の鍋蓋。
【考案の詳細な説明】
【０００１】
【考案の属する技術分野】
本考案は木製の鍋蓋に関するものであり、特に給食センター、ホテル、旅館、レストラン、食堂等の調理場で使用される業務用の大型鍋の蓋に係るものである。
【０００２】
【従来の技術】
木製の鍋蓋としては下記のものが既に知られている。
【０００３】
（イ）図４に示すように、木製蓋本体１の上面中央に木製板状取っ手３を該木製蓋本体１から直角に立設してなる木製の鍋蓋。この鍋蓋においては、木製板状取っ手３を指で摘んで該鍋蓋を持ち上げる。
【０００４】
（ロ）図５に示すように、木製蓋本体１の上面に一対の平行な木製基材５、５を固定し、該木製基材５、５の中央部上に木製取っ手７を該木製基材５、５と直角に取り付けてなる木製の鍋蓋。この鍋蓋においては、木製取っ手７と木製蓋本体１との間に隙間９が形成される。この隙間９に指を挿入して木製取っ手７を把持することにより鍋蓋を持ち上げるのである。
【０００５】
【考案が解決しようとする課題】
しかるに、上記（イ）の鍋蓋においては、木製板状取っ手３に指を挿入することができないため、該木製板状取っ手３により鍋蓋を持ち上げることは必ずしも容易なことではない。
【０００６】
また、上記（ロ）の鍋蓋においては、木製蓋本体１の上面に二本の木製基材５、５を固定すると共に該木製基材５、５上に木製取っ手７を取り付けるようにしているため、コスト高の謗りを免れない。
【０００７】
本考案は、上記従来の鍋蓋における上述の如き問題を解決し、持ち上げ易く且つ安価に製造することができる木製の鍋蓋を提供しようとしてなされたものである。
【０００８】
【課題を解決するための手段】
上記課題を解決するために、本考案は下記の木製の鍋蓋を提供する。
【０００９】
（１）木製蓋本体の上面中央に木製板状取っ手を該木製蓋本体から直角に立設し、該木製板状取っ手には複数本の指を挿入するための透孔を形成したことを特徴とする鍋蓋（請求項１）。
【００１０】
（２）前記木製板状取っ手における透孔の底面は木製蓋本体の上面よりも高くする（請求項２）。
【００１１】
【作用】
［請求項１の考案］
鍋蓋を持ち上げる際には、木製板状取っ手に形成された透孔に複数本の指を挿入して該木製板状取っ手を把持する。
【００１２】
［請求項２の考案］
木製板状取っ手における透孔の底面を木製蓋本体の上面よりも高くしているため、該木製板状取っ手における透孔の底面に汚れが溜まることはない。
【００１３】
【考案の実施の形態】
次に、本考案の実施の形態を添付図面に従って説明する。
【００１４】
符号１１に示すものは木製蓋本体である。図示の木製蓋本体１１は例えば４２ｃｍ以上の直径を有する大型の円板状体である。
【００１５】
木製蓋本体１１の上面１１ａ中央に木製板状取っ手１３を該木製蓋本体１１から直角に立設する。即ち、一例として図３に示すように、木製板状取っ手１３の下端にアリ１３ａを形成し、木製蓋本体１１にはアリ溝１５を該アリ１３ａに対応させて形成し、該アリ１３ａをアリ溝１５に嵌着することにより木製蓋本体１１の上面に木製板状取っ手１３を立設する。
【００１６】
木製板状取っ手１３には複数本の指を挿入するための透孔１７を形成する。透孔１７は複数本の指を挿入するに適した長さを有する。
【００１７】
木製板状取っ手１３における透孔１７の底面１９は木製蓋本体１１の上面１１ａよりも高くする。該透孔１７の底面１９は木製蓋本体１１の上面１１ａよりも例えば１ｍｍ程度高くする。
【００１８】
【考案の効果】
［請求項１の考案］
鍋蓋を持ち上げる際には、木製板状取っ手に形成された透孔に複数本の指を挿入して該木製板状取っ手を把持するようにしたため、鍋蓋は極めて持ち上げ易い。また、木製蓋本体の上面には透孔を備えた木製板状取っ手のみを立設しているため、鍋蓋は安価に製造することができる。
【００１９】
［請求項２の考案］
木製板状取っ手における透孔の底面を木製蓋本体の上面よりも高くしているため、該木製板状取っ手における透孔の底面に汚れが溜まることはない。その他の点においては、請求項２の考案は請求項１の考案と同様の効果を発揮する。
【図面の簡単な説明】
【図１】本考案による鍋蓋の一例を示す斜視図である。
【図２】同上鍋蓋の一部を拡大して示す正面図である。
【図３】図２のＩＩＩ−ＩＩＩ線における拡大断面図である。
【図４】従来の鍋蓋を示す斜視図である。
【図５】従来の別の鍋蓋を示す斜視図である。
【符号の説明】
１　木製蓋本体
３　木製板状取っ手
５　木製基材
７　木製取っ手
９　隙間
１１　木製蓋本体
１１ａ　上面
１３　木製板状取っ手
１３ａ　アリ
１５　アリ溝
１７　透孔
１９　底面
【図１】
0003097130.tif 000003
【図２】
0003097130.tif 000004
【図３】
0003097130.tif 000005
【図４】
0003097130.tif 000006
【図５】
0003097130.tif 000007
(57)【要約】　　　（修正有）【課題】整理し易いスリッパの提供。【解決手段】一組のスリッパ本体の相互に当たる甲の部分の外側くっつくように磁石２を取り付けたことを特徴とする。【選択図】図２
0003097178.tif 000002
【実用新案登録請求の範囲】
【請求項１】
一組のスリッパ本体の相互に当たる甲の部分の外側くっつくように磁石（２）を取り付たことを特徴とするスリッパという権利。
【考案の詳細な説明】
【０００１】
【考案の属する技術分野】
本考案は内側部分に磁石を設けたスリッパに関するものである。
【０００２】
【従来の技術】
おもに病院、旅館などではスリッパ（特に子供用）はぬいだ所が散乱していた。
【０００３】
【考案が解決しようとする課題】
スリッパをぬいだ後散乱するという欠点を解決し小児病院ではスリッパを揃えるという子供へのしつけに又旅館などの宴会場でのスリッパの整理などの時間的労働的負担を軽減させようと考案したものである。
【０００４】
【課題を解決するための手段】
一組のスリッパ本体の相互に当たる甲の部分の外側にくっつくように磁石（２）を取り付ける。
【０００５】
【考案の実施の形態】
一組のスリッパ本体の相互に当たる甲の部分の外側に強力磁石シート（＊）を接着剤（＊＊）で取り付ける。
＊（株）エス・ジー・エス社製吸着力８０ｇｒ／ｃｍｓｑ。（２×２ｃｍの中央に磁石配置）材質・塩化・ビニール・希土類磁石寸法１．７×４０×２０〜１００ｍｍ
＊＊　品質表示／種類・化学反応形接着剤、成分・特殊シリコーン変成ポリマー（６５％）合成樹脂（３０％）無機物（５％）セメダイン（株）製　セメダインスーパーＸ　クリア　超多用途
【０００６】
スリッパ内側部分にマジックテープを付け子供（４才と６才）に試させたところすぐはずれてしまったので磁石を取り付けた所歩き出しやすく揃えやすくなった。
【０００７】
【考案の効果】
磁石でスリッパがくっつくので散乱することがない。子供はもちろん大人もぬぎはきしやすく揃えやすくなった。
【図面の簡単な説明】
【図１】本考案の実施例を示す正面図である。
【図２】スリッパを揃えた所の平面図。
【符号の説明】
１　　スリッパ本体
２　　磁石
【図１】
0003097178.tif 000003
【図２】
0003097178.tif 000004
【手続補正書】
【提出日】平成15年4月11日(2003.4.11)
【手続補正１】
【補正対象書類名】明細書
【補正対象項目名】実用新案登録請求の範囲
【補正方法】変更
【補正の内容】
【実用新案登録請求の範囲】
【請求項１】
一組のスリッパ本体の相互の甲の部分の外側にそれぞれ磁石（２）を取り付けたことを特徴とする磁石スリッパ。
(57)【要約】　　　（修正有）【課題】建築現場での基礎コンクリートの水平だしには多くの鉄筋に印をつけなければならず、時間と手間が大変かかっている。ワイタッチで水平がとれ、時間と手間が大幅に短縮できる建築用品を提供する。【解決手段】基礎コンクリートの鉄筋に伸縮可能なワンタッチジョイント（１）を装着し、ジョイントの片側先端にレベル出し用冶具（２）を有する。材質は金属又はプラスチックを用いる。【選択図】　図１
0003097171.tif 000002
【実用新案登録請求の範囲】
【請求項１】
建築での基礎コンクリートのレベル調整に用い鉄筋にワンタッチで装着できる建築用品
【考案の詳細な説明】
【０００１】
【発明の属する技術分野】
この発明は、建築での基礎コンクリートをレベル調整に用い鉄筋にワンタッチで取り付け可能な冶具に関するものである。
【０００２】
【従来の技術】
鉄筋にビニールテープを巻きつける方法があった。
【０００３】
【発明が解決しようとする課題】
これは次のような欠点があった
（イ）　ビニールを巻きつける方法では、位置がずれた場合は、新たに巻きつけならなければならなかった。
（ロ）　取り付け、取り外しに大変な手間を要した。また水平に巻きつけることがむずかしくレベルがなかなか決定しなかった。
【０００４】
【課題を解決するための手段】
鉄筋に伸縮可能なワンタッチジョイント（１）を装着しジョイントの片側先端にレベル出し用冶具（２）を有する。材質は金属又はプラスチックを用いる。
本発明は、以上のような構成よりなる建築用品である。
【０００５】
【発明の実施の形態】
鉄筋に伸縮可能なワンタッチジョイント（１）を装着しジョイントの片側先端にレベル出し用冶具（２）を有する。材質は金属又はプラスチックを用いる。これによりレベル調整を行う。
【０００６】
【実施例】
以下、本発明の実施例について説明する。
基礎コンクリートの鉄筋に伸縮可能なワンタッチジョイント（１）を装着しジョイントの片側先端にレベル出し用冶具（２）を有する。材質は金属又はプラスチックを用いる。
【０００７】
【発明の効果】
建築現場で基礎コンクリートのレベルをあわせ、基礎を水平にならす為に用い、ワンタッチで取り付け、取り外し、移動が出来る。また時間短縮にもなる。
【図面の簡単な説明】
【図１】本発明の図面である。
【符号の説明】
１．　ワンタッチジョイント
２．　レベル出し用冶具
【図１】
0003097171.tif 000003
【手続補正書】
【提出日】平成14年8月30日(2002.8.30)
【手続補正１】
【補正対象書類名】明細書
【補正対象項目名】実用新案登録請求の範囲
【補正方法】変更
【補正の内容】
【実用新案登録請求の範囲】
【請求項１】
建築での基礎コンクリートを流す高さの基準目印に用いるため、形状記憶材料及び材料の応力特性を利用し伸縮可能な形状にし、簡単に鉄筋に装着でき基礎コンクリートのレベル調整に使用する建築用品。
【手続補正書】
【提出日】平成14年12月30日(2002.12.30)
【手続補正１】
【補正対象書類名】明細書
【補正対象項目名】実用新案登録請求の範囲
【補正方法】変更
【補正の内容】
【実用新案登録請求の範囲】
【請求項１】
建築工事での基礎コンクリート及び土間コンクリート打設時の高さの基準目印に用いるため、形状記憶材料及び材料の応力特性を利用し、鉄筋の太さに追従する形状になっており、簡単に装着でき基礎コンクリート及び土間コンクリート打設時のレベル出しに使用する建築用品。
【手続補正書】
【提出日】平成15年4月25日(2003.4.25)
【手続補正１】
【補正対象書類名】明細書
【補正対象項目名】実用新案登録請求の範囲
【補正方法】変更
【補正の内容】
【実用新案登録請求の範囲】
【請求項１】
建築工事での基礎コンクリート打設時の高さの基準目印に用いるため、鉄筋に装着できる略Ｕ字状のワンタッチジョイントからなる建築用具であって、該ワンタッチジョイントの一端に、レベル出し用冶具を設けた建築用具。
(57)【要約】　　　（修正有）【課題】ゴルフ靴の、スパイクを、緩みにくくする。【解決手段】ゴルフ靴を履いて、右打ちの場合の左回転、左打ちの場合の右回転が、スパイク緩みの最大理由と考えられるため、ゴルフ靴の右打ち者用には、左螺子（逆螺子）、左打ち者用には、右螺子（通常螺子）のスパイク螺子を用いる。【選択図】　図１
0003097175.tif 000002
【実用新案登録請求の範囲】
【請求項１】
ゴルフ靴用スパイク取り付け螺子の回転方向を、正逆２種類にする。
【考案の詳細な説明】
【考案の属する技術分野】
【０００１】本考案は、靴使用時の、回転方向を考慮した、技術に関する。
【考案が解決しようとする課題】
【０００２】靴用スパイクの、緩みに関して、従来は、使用時の回転方向が、考慮されていない。本考案は、使用者によって、その回転方向が、正反対になる点に着目する。
【課題を解決するための手段】
【０００３】ゴルフ靴用スパイク取り付け螺子の回転方向を、正逆２種類にする。
【考案の実施例】
【０００４】ゴルフ靴の右打ち者用には、左螺子（逆螺子）、左打ち者用には、右螺子（通常螺子）のスパイクを用いる。
【考案効果】
【０００５】左螺子（逆螺子）のスパイク付きゴルフ靴を履いて、右打ちをすれば、打球時の左回転は、常に螺子を締める方向に力が働き、スパイク螺子が、緩まない。
左打ちの場合は、右螺子（通常螺子）スパイクで、緩まない。
【図面の簡単な説明】
【図１】左打ち者用（右螺子）と、右打ち者用（左螺子）の、スパイク螺子の立面図
【符号の説明】
Ａ　スパイク部
Ｂ　螺子部
【図１】
0003097175.tif 000003
【手続補正書】
【提出日】平成15年1月14日(2003.1.14)
【手続補正２】
【補正対象書類名】明細書
【補正対象項目名】実用新案登録請求の範囲
【補正方法】変更
【補正の内容】
【実用新案登録請求の範囲】
【請求項１】
ゴルフ靴用スパイク取り付け螺子の回転方向を、正逆とした２種類の、靴用スパイク螺子。
【手続補正４】
【補正対象書類名】図面
【補正対象項目名】全図
【補正方法】変更
【補正の内容】
【図１】
0003097175.tif 000004
【手続補正書】
【提出日】平成15年5月8日(2003.5.8)
【手続補正２】
【補正対象書類名】明細書
【補正対象項目名】実用新案登録請求の範囲
【補正方法】変更
【補正の内容】
【実用新案登録請求の範囲】
【請求項１】
スパイク取り付け螺子を、左螺子（逆螺子）とした、ゴルフ靴。
【手続補正３】
【補正対象書類名】明細書
【補正対象項目名】考案の詳細な説明
【補正方法】変更
【補正の内容】
【考案の詳細な説明】
【考案の属する技術分野】
【０００１】本考案は、靴使用時の、回転方向を考慮した、技術に関する。
【考案が解決しようとする課題】
【０００２】靴用スパイクの、緩みに関して、従来は、使用時の回転方向が、考慮されていない。本考案は、使用者によって、その回転方向が、正反対になる点に着目する。
【課題を解決するための手段】
【０００３】右打ち者のゴルフ靴用スパイク取り付け螺子を、左螺子（逆螺子）にする。
【考案の実施例】
【０００４】右打ち者用のゴルフ靴には、左螺子（逆螺子）、左打ち者用には、右螺子（通常螺子）のスパイクを用いる。
【考案効果】
【０００５】左螺子（逆螺子）のスパイク付きゴルフ靴を履いて、右打ちをすれば、打球時の左回転は、常に螺子を締める方向に力が働き、スパイク螺子が、緩まない。
左打ちの場合は、右螺子（通常螺子）スパイクで、緩まない。


【手続補正４】
【補正対象書類名】明細書
【補正対象項目名】図面の簡単な説明
【補正方法】変更
【補正の内容】
【図面の簡単な説明】
【図１】右打ち者用（左螺子）の、スパイク螺子の立面図
【図２】左打ち者用（右螺子）の、スパイク螺子の立面図


【手続補正５】
【補正対象書類名】図面
【補正対象項目名】図１
【補正方法】変更
【補正の内容】
【図１】
0003097175.tif 000005
【手続補正６】
【補正対象書類名】図面
【補正対象項目名】図２
【補正方法】追加
【補正の内容】
【図２】
0003097175.tif 000006
(57)【要約】【課題】水槽とは、どれも同じような直方体のデザインの物が多いが、飽きのこないよう、また必要でない部品を省き、少しでも省電力ですむように、ウォーターポンプのいらない行灯型水槽を提供する。【解決手段】水槽の底面にエアーポンプを設け、揚水管を経由してエアーを送り水面より水位が上がる原理を利用したため、本来ウォーターポンプが成す役割もこなすのでその必要がなくなった。なおかつ斬新なデザインであるため、インテリアとしても充分な行灯型水槽を特徴とする。【選択図】図１
0003097179.tif 000002
【実用新案登録請求の範囲】
【請求項１】
水槽（１）の底面にエアーポンプ（２）を設け、それがウォーターポンプの役目も果たす縦型円柱形の行灯型水槽。
【考案の詳細な説明】
【０００１】
【考案の属する技術分野】
この考案は、縦型円柱形の水槽の底面にエアーポンプを設けた行灯型水槽に関するものである。
【０００２】
【従来の技術】
従来水槽とは、直方体の物が一般的であった。
【０００３】
【発明が解決しようとする課題】
これはつぎのような欠点があった。
（イ）どの水槽もよく似た形状の物ばかりである為、買い手はデザインの違いで水槽を選ぶことはできなかった。
（ロ）どのような水槽にもウォーターポンプが必要であった。
本考案は、以上のような欠点を失くすためになされたものである。
【０００４】
【課題を解決するための手段】
水槽（１）の底面にエアーポンプ（２）を設け、揚水管（３）を経由してエアーを送り水を循環させる。
【図面の簡単な説明】
【図１】循環図
【符号の説明】
１　透明アクリル水槽
２　エアーポンプ・ホース
３　揚水管
４　ウッドストーン
５　スタンド
６　プロティンスキマー
７　吐水口
８　ヒーター
９　サーモスタット及びセンサー
１０　濾過材
１１　パンチングボード
【図１】
0003097179.tif 000003
(57)【要約】【課題】従来の洗濯挟みは、干し物を取り込む際に各個々ごとに手を加えて取り込んでいた。本考案はその不便を解消して取り込み労力と時間を短縮する。【解決手段】本考案は、従来の洗濯挟みは干し物を取り込む際に労力と時間がかかり不便をしていた。そこで取り込み労力と時間を軽減するために洗濯挟みの先端部分に回転車（４〜６角形又はだ円形）を取り付ける。洗濯挟みで挟んでいる干し物を下方向に引っ張るだけで簡単に取り込むことができる構造になっている。【選択図】　図１
0003097174.tif 000002
【実用新案登録請求の範囲】
【請求項１】
従来のプラスチック製洗濯挟みの先端部分に回転車（４〜６角形又はだ円形）を取り付け、干し物を下方向に引っ張るだけで簡単に取り込むことができる特徴をもっている。
【請求項２】
回転車は、回転車と車軸にあたる円すい形状の突起部分を一体のものとして成型し、回転車には横しま状又はテンテン状の滑り止めを設ける。
【請求項３】
洗濯挟みを構成するパーツに回転車を取り付けるための溝を施し、組み立てを簡略化し組み立てコストの低減化を図る。
【考案の詳細な説明】
【０００１】
【考案の属する技術分野】
本考案は、従来の洗濯挟みの先端部分に回転車を取り付けた洗濯挟みに関するものである。
【０００２】
【従来の技術】
従来の洗濯挟みは、挟むことによって干し物を固定していたが、取り外しの際には各個々ごとに手を加え取り込んでいた。
【０００３】
【考案が解決しようとする課題】
従来の洗濯挟みは、干し物を取り込む際に各個々ごとに手を加えて取り込んでいた。本考案はその不便を解消し取り込み労力と時間を大幅に短縮できる。
【０００４】
【課題を解決するための手段】
本考案は、従来の洗濯挟みは干し物を取り込む際に手間がか　　　　　　　　　かっていた。そこで取り込み時間と労力を軽減するために洗濯挟みの先端部分に回転車を取り付けることによって問題の解決を図る。
【０００５】
【考案の実施の形態】
洗濯挟みはプラスチックのパーツ２個とスプリングとの組み合わせから成り立っている。本考案は従来の洗濯挟みの先端部分に回転車を取り付けることによって干し物の取り込みが簡便になっている。
【０００６】
【実施例】
従来のプラスチック製の洗濯挟みは、さほど強度は必要としないが、本考案は挟むときの接する面積が小さくなるため回転車の取り付け部分を厚くして補強するとともにスプリングは干し物を挟んでいる時に回転車が回転しない程度の弾力性を必要とする。
【０００７】
【考案の効果】
本考案の洗濯挟みは、干し物を下方向に引っ張るだけで取り外せる簡便なもので労力、時間の短縮を図ることができる特徴をもっている。
【図面の簡単な説明】
【図１】本考案の回転車を取り付けた洗濯挟みの側面図である。
【図２】本洗濯挟みの正面図である。
【図３】本洗濯挟みを構成するパーツ▲１▼で回転車を取り付けるための中央断面の内側の構造図である。
【図４】洗濯挟みの回転車の構造図である。
【符号の説明】
１．　洗濯挟みを構成するパーツ
２．　スプリング
３．　回転車
【図１】
0003097174.tif 000003
【図２】
0003097174.tif 000004
【図３】
0003097174.tif 000005
【図４】
0003097174.tif 000006
【手続補正書】
【提出日】平成14年12月18日(2002.12.18)
【手続補正１】
【補正対象書類名】明細書
【補正対象項目名】実用新案登録請求の範囲
【補正方法】変更
【補正の内容】
【実用新案登録請求の範囲】
【請求項１】
従来のプラスチック製洗濯挟みの先端部分に回転車（４〜６角形又はだ円形）を取り付け、干し物を下方向に引っ張るだけで簡単に取り込むことができる洗濯挟み。
【請求項２】
洗濯挟みの回転車は、回転車と車軸をなす円錐形状の突起部分を一体のものとして成型し、回転車には横しま状又はテンテン状の滑り止めをつけた洗濯挟みで、洗濯挟みを構成するパーツには回転車を取り付けるための溝を施し、組み立てを簡略化した洗濯挟み。
【手続補正書】
【提出日】平成15年3月7日(2003.3.7)
【手続補正１】
【補正対象書類名】明細書
【補正対象項目名】実用新案登録請求の範囲
【補正方法】変更
【補正の内容】
【実用新案登録請求の範囲】
【請求項１】
プラスチック製洗濯挟みの先端部分に４角形又は６角形或は楕円形状の回転車を取り付け、干し物を下方向に引っ張るだけで簡単に取り込むことができる洗濯挟み。
【請求項２】
洗濯挟みの回転車は、回転車と車軸をなす円錐形状の突起部分を一体のものとして成型し、回転車には横しま状又はテンテン状の滑り止めをつけた洗濯挟みで、洗濯挟みを構成するパーツには回転車を取り付けるための溝を施し、組み立てを簡略化した洗濯挟み。
【手続補正書】
【提出日】平成15年5月26日(2003.5.26)
【手続補正１】
【補正対象書類名】明細書
【補正対象項目名】実用新案登録請求の範囲
【補正方法】変更
【補正の内容】
【実用新案登録請求の範囲】
【請求項１】
プラスチック製洗濯挟みの先端部分に４角形又は６角形或は楕円形状の回転車を取り付け、干し物を下方向に引っ張るだけで簡単に取り込むことができる洗濯挟み。
【請求項２】
洗濯挟みの回転車は、回転車と車軸をなす円錐形状の突起部分を一体のものとして成型し、回転車には横しま状又はテンテン状の滑り止めをつけた洗濯挟みで、洗濯挟みを構成するパーツには回転車を取り付けるための溝を施し、組み立てを簡略化した請求項１記載の洗濯挟み。